(57)【要約】【課題】給水路に開放式タンクを備えながら、開放式タンク内に侵入したゴミにより給水路中がゴミつまりによる吐水不良をさせることがない衛生洗浄装置を提供する。【解決手段】給水源からの水の通水を開閉により制御する電磁弁と、前記電磁弁が開いて通水された水を導入する流入口と、前記流入口から導入された水をオーバーフローさせるオーバーフロー口と、を有する開放式タンクと、前記開放式タンクの水を圧送するポンプと、前記圧送された水を吐水するノズルと、前記電磁弁を開いて水を前記開放式タンクに給水し、前記開放式タンクのオーバーフロー口から水をオーバーフローさせるオーバーフロー排水制御を行う制御部と、を備えたことを特徴とする衛生洗浄装置が提供される。【選択図】図４
2010189935.tif 000002
【特許請求の範囲】
【請求項１】
給水源からの水の通水を開閉により制御する電磁弁と、
前記電磁弁が開いて通水された水を導入する流入口と、前記流入口から導入された水をオーバーフローさせるオーバーフロー口と、を有する開放式タンクと、
前記開放式タンクの水を圧送するポンプと、
前記圧送された水を吐水するノズルと、
前記電磁弁を開いて水を前記開放式タンクに給水し、前記開放式タンクのオーバーフロー口から水をオーバーフローさせるオーバーフロー排水制御を行う制御部と、
を備えたことを特徴とする衛生洗浄装置。
【請求項２】
前記給水源からの水の供給量は、前記開放式タンクから前記ポンプにより圧送される水の量よりも多いことを特徴とする請求項１記載の衛生洗浄装置。
【請求項３】
前記制御部は、前記ノズルからの吐水を開始する前に、前記オーバーフロー排水制御を行い、その後に前記ポンプを駆動して前記ノズルからの水の吐水を開始することを特徴とする請求項１記載の衛生洗浄装置。
【請求項４】
使用者が衛生洗浄装置の近くにいることを検知する人体検知手段をさらに備え、
前記制御部は、前記人体検知手段により使用者が検知された場合に、前記オーバーフロー排水制御を行うことを特徴とする請求項１記載の衛生洗浄装置。
【請求項５】
前記制御部は、前記人体検知手段が使用者を検知した状態が所定時間継続した場合に、前記オーバーフロー排水制御を行うことを特徴とする請求項４記載の衛生洗浄装置。
【請求項６】
使用者が衛生洗浄装置の近くにいることを検知する人体検知手段をさらに備え、
制御部は、前記人体検知手段により使用者が検知された後に、前記人体検知手段により使用者が検知されない状態になった場合に、前記オーバーフロー排水制御を行うことを特徴とする請求項１記載の衛生洗浄装置。
【請求項７】
前記制御部は、前記人体検知手段が使用者を検知しない状態が所定時間継続した場合に、前記オーバーフロー排水制御を行うことを特徴とする請求項６記載の衛生洗浄装置。
【請求項８】
前記開放式タンクを収納するケーシングと、
前記ケーシングに取付けられた便座および便蓋と、
前記便蓋が閉止状態にあることを検知する便蓋閉止検知センサと、
をさらに備え、
前記制御部は、前記便蓋が閉止状態になったことを前記便蓋閉止検知センサが検知したときに前記オーバーフロー排水制御を行うことを特徴とする請求項１記載の衛生洗浄装置。
【請求項９】
使用者が衛生洗浄装置を操作するためのスイッチをさらに備え、
前記制御部は、使用者の前記スイッチの操作に基づいて前記オーバーフロー排水制御を行うことを特徴とする請求項１記載の衛生洗浄装置。
【請求項１０】
前記制御部は、一定時間の間隔をもって前記オーバーフロー排水制御を行うことを特徴とする請求項１記載の衛生洗浄装置。
【請求項１１】
前記開放式タンクにおいて、前記オーバーフロー口は前記流入口と相対する端部に位置することを特徴とする請求項１〜１０のいずれか１つに記載の衛生洗浄装置。
【発明の詳細な説明】
【技術分野】
【０００１】
本発明は、吐出される洗浄水によって人体の洗浄部分を洗浄する洗浄ノズルを備える衛生洗浄装置に関する。
【背景技術】
【０００２】
吐出される洗浄水によって人体の洗浄部分を洗浄する洗浄ノズルを備え、洋式便器本体の上部に載設される衛生洗浄装置において、本体下ケースと本体上ケースとで構成される装置本体内に水源と貯湯タンクとを接続する水路の途中に設けられるリザーブタンクを収納配置し、上面が開口する受け箱状の槽体を本体下ケースより突設し、槽体の上部にリザーブタンク蓋を載設し、本体下ケースの底面部と槽体の側壁との間に余剰水を排水するための樋状排水路を形成し、樋状排水路に設けられた排水口を洋式便器本体内に開口させ、上記樋状排水路に向けて開放するように槽体の側壁の上端部に排水用切り欠きを設けており、リザーブタンク内に余剰に供給される余剰水は槽体の側壁に設けられた排水用切り欠きから本体下ケースと槽体の側壁との間にわたって形成された樋状排水路に向けて排水され、樋状排水路に流れ込んだ余剰水は樋状排水路に沿って流れた後に樋状排水路に設けられた排水口より洋式便器本体内に排水されるものが開示されている（特許文献１参照。）。
【０００３】
特許文献１に開示された衛生洗浄装置では、リザーブタンクが槽体の側壁の上端部に排水用切り欠きにより大気に開放されているため、この大気開放部分からトイレットペーパーの紙片や綿埃等のゴミがタンク内に侵入し、リザーブタンクから洗浄ノズルにいたる下流の流路においてゴミ詰まりを発生させ、吐出される洗浄水の流量が低下し洗浄感が低下したり、洗浄水を吐出できなくなるおそれがあった。
【先行技術文献】
【特許文献】
【０００４】
【特許文献１】特開平８−１２０７３３号公報
【発明の概要】
【発明が解決しようとする課題】
【０００５】
本発明は、上記問題を解決するためになされたものであり、給水路に開放式タンクを備えながら、開放式タンク下流の流路でのゴミつまりによる吐水不良を抑制する衛生洗浄装置を提供することを目的とする。
【課題を解決するための手段】
【０００６】
上記課題を解決するために、本発明に係る衛生洗浄装置は、給水源からの水の通水を開閉により制御する電磁弁と、前記電磁弁が開いて通水された水を導入する流入口と、前記流入口から導入された水をオーバーフローさせるオーバーフロー口と、を有する開放式タンクと、前記開放式タンクの水を圧送するポンプと、前記圧送された水を吐水するノズルと、前記電磁弁を開いて水を前記開放式タンクに給水し、前記開放式タンクのオーバーフロー口から水をオーバーフローさせるオーバーフロー排水制御を行う制御部と、を備えたことを特徴とする。
【０００７】
また、本発明の好ましい形態では、前記給水源からの水の供給量は、前記開放式タンクから前記ポンプにより圧送される水の量よりも多いことを特徴とする。
【０００８】
これにより、前記給水源からの水の供給量が、前記ポンプの圧送する水の量よりも多くしたことで、ポンプの動作中においても開放式タンク内の水が確実にオーバーフローし、開放式タンク内からゴミを排出することができるため、ゴミつまりによる吐水不良を招く事態を防止することができる。
【０００９】
また、制御装置がオーバーフロー排水制御を実行することにより、開放式タンク内の水を排水するとともに、開放式タンク内に侵入したゴミをオーバーフロー口から排出するため、ゴミつまりによる吐水不良を招くことを防止することができる。
【００１０】
また、本発明の好ましい形態では、前記制御部は、前記ノズルからの吐水を開始する前に、前記オーバーフロー排水制御を行い、その後に前記ポンプを駆動して前記ノズルからの水の吐水を開始することを特徴とする。
【００１１】
これにより、衛生洗浄装置の洗浄前のタイミングでオーバーフロー排水制御を実行し、開放式タンク内からゴミを排出することができる。すなわち、使用者が衛生洗浄装置の使用直前に開放式タンク内の水をオーバーフローさせてゴミを排出できることから、ゴミつまりによる吐水不良を招くことを防止することができる。
【００１２】
また、本発明の好ましい形態では、使用者が衛生洗浄装置の近くにいることを検知する人体検知手段をさらに備え、前記制御部は、前記人体検知手段により使用者が検知された場合に、前記オーバーフロー排水制御を行う。
【００１３】
これにより、衛生洗浄装置の使用に支障のないタイミングでオーバーフロー排水制御を実行し、開放式タンク内からゴミを排出することができる。すなわち、制御装置は、衛生洗浄装置の近くに使用者が存在していることから衛生洗浄装置が使用されると判断し、オーバーフロー排水制御を実行する。したがって、使用者の使用前に衛生洗浄装置の開放式タンク内の水をオーバーフローさせてゴミを排出できることから、ゴミつまりによる吐水不良を招くことを防止することができる。
【００１４】
また、本発明の好ましい形態では、前記制御部は、前記人体検知手段が使用者を検知した状態が所定時間継続した場合に、前記オーバーフロー排水制御を行う。
【００１５】
例えば、人が衛生洗浄装置の前を通り過ぎただけにもかかわらず、人体検知センサが一時的に人体の存在を検知することがある。そのため、人体検知センサが人体を検知した状態になると即座に制御装置がオーバーフロー排水制御を実行するよう設定すると、上記のように一時的に人体を検知した状態となった場合に、使用する人がいないのにもかかわらず、開放式タンク内の水をオーバーフロー排水させてしまう。したがって、無駄に水をオーバーフローさせて捨ててしまうという不具合が生じる。
【００１６】
これにより、人体検知センサが人体の存在を検知した状態が所定時間継続したとき、使用者が衛生洗浄装置を使用すると判断してオーバーフロー排水制御を実行する。したがって、衛生洗浄装置を使用しないのにもかかわらず、開放式タンク内の水をオーバーフローさせて、無駄に水をオーバーフローさせて捨てることがなく、上記不具合を解消することができる。
【００１７】
また、本発明の好ましい形態では、使用者が衛生洗浄装置の近くにいることを検知する人体検知手段をさらに備え、前記制御部は、前記人体検知手段により使用者が検知された後に、前記人体検知手段により使用者が検知されない状態になった場合に、前記オーバーフロー排水制御を行う。
【００１８】
これにより、衛生洗浄装置の使用に支障のないタイミングでオーバーフロー排水制御を実行し、開放式タンク内の水をオーバーフローさせてゴミを排出できることから、ゴミつまりによる吐水不良を招くことを防止することができる。
すなわち、制御装置は、近くに使用者が存在しなくなったことから衛生洗浄装置が使用されていない状態になったと判断し、オーバーフロー排水制御を実行する。したがって、衛生洗浄装置の使用中であるにもかかわらず開放式タンク内の水を無駄にオーバーフローさせて捨ててしまうといった、事態の発生を防止することができる。
【００１９】
また、本発明の好ましい形態では、前記制御部は、前記人体検知手段が使用者を検知しない状態が所定時間継続した場合に、前記オーバーフロー排水制御を行う。
【００２０】
例えば、衛生洗浄装置の使用中であるにもかかわらず、使用者の所作により、人体検知センサが一時的に人体の存在を検知しなくなることがある。そのため、人体検知センサが人体を検知しなくなった状態になると即座に制御装置がオーバーフロー排水制御を実行するよう設定すると、上記のように一時的に人体を検知しなくなった状態となった場合に、使用者がまだ衛生洗浄装置を使用しているにもかかわらず、開放式タンク内の水を無駄にオーバーフローさせて捨ててしまうという不具合が生じる。
【００２１】
これにより、人体検知センサが人体の存在を検知しない状態が所定時間継続したとき、使用者が衛生洗浄装置の使用を完全に終えたと判断してオーバーフロー排水制御を実行する。したがって、衛生洗浄装置の使用中であるにもかかわらず、開放式タンク内の水を無駄に水をオーバーフローさせて捨ててしまうことがなく、上記不具合を解消することができる。
【００２２】
また、本発明の好ましい形態では、前記開放式タンクを収納するケーシングと、前記ケーシングに取付けられた便座および便蓋と、前記便蓋が閉止状態になったことを検知する便蓋閉止検知センサと、をさらに備え、前記制御部は、前記便蓋が閉止状態にあることを前記便蓋閉止検知センサが検知したときに前記オーバーフロー排水制御を行う。
【００２３】
これにより、衛生洗浄装置の使用に支障のないタイミングでオーバーフロー排水制御を実行し、開放式タンク内の水をオーバーフローさせてゴミを排出することができる。すなわち、制御装置は、便蓋が閉止状態にあることから衛生洗浄装置が使用されていない状態になったと判断し、オーバーフロー排水制御を実行する。したがって、衛生洗浄装置の使用中であるにもかかわらず、開放式タンク内の水を無駄にオーバーフローさせて捨ててしまうことがなく、不具合を解消することができる。
【００２４】
また、本発明の好ましい形態では、使用者が衛生洗浄装置を操作するためのスイッチをさらに備え、前記制御部は、使用者の前記スイッチの操作に基づいて前記オーバーフロー排水制御を行う。
【００２５】
これにより、衛生洗浄装置の清掃などでほこり等のゴミが開放式タンク内に入り込んだ場合に、排水スイッチを操作してオーバーフロー排水制御を実行させることができる。したがって、使用者のニーズに応じて衛生洗浄装置の使用に支障のないタイミングでオーバーフロー排水制御を実行し、開放式タンク内の水をオーバーフローさせてゴミを排出することができる。
【００２６】
また、本発明の好ましい形態では、前記制御部は、一定時間の間隔をもって前記オーバーフロー排水制御を行う。
【００２７】
これにより、使用者の使用状況によらず、一定時間の間隔で開放式タンク内の水をオーバーフローさせてゴミを排出することができるため、ゴミつまりによる吐水不良を招くことを防止することができる。
【００２８】
また、本発明の好ましい形態では、前記開放式タンクにおいて、前記オーバーフロー口は前記流入口と相対する端部に位置することを特徴とする。
【００２９】
これにより、開放式タンクに侵入したゴミをオーバーフロー排水制御によりオーバーフロー口へスムーズに導くために、開放式タンクの上流である流入口と相対する端部にオーバーフロー口を流路の最下流に位置することで、開放式タンク内の水をオーバーフローさせてゴミを排出することができるため、ゴミつまりによる吐水不良を招くことを防止することができる。
【発明の効果】
【００３０】
本発明によれば、給水路に開放式タンクを備えながら、開放式タンク内に侵入したゴミをオーバーフロー口から水とともにゴミを排出することで、開放式タンク下流の流路でのゴミつまりによる吐水不良をさせることがない衛生洗浄装置を提供することができる。
【図面の簡単な説明】
【００３１】
【図１】本発明の第１実施形態に係る衛生洗浄装置を備えたトイレ装置の外観図である。
【図２】本発明の第１実施形態に係る衛生洗浄装置の内部構成を表す透視図である。
【図３】本発明の第１実施形態に係る衛生洗浄装置の制御ブロック図である。
【図４】本発明の第１実施形態に係る衛生洗浄装置の開放式タンク近傍の斜視図である。
【図５】本発明の第１実施形態に係る衛生洗浄装置の開放式タンクの構造と水の流れを示す模式図である。
【図６】本発明の第１実施形態に係る衛生洗浄装置の水路構成を表すブロック図である。
【図７】本発明の第１実施形態に係る衛生洗浄装置のシーケンスの一例を表す概略図である。
【図８】本発明の第２実施形態に係る衛生洗浄装置のシーケンスの一例を表す概略図である。
【発明を実施するための形態】
【００３２】
以下、図面を参照しつつ本発明の実施形態について説明する。  
図１は、本発明の第１実施形態に係る衛生洗浄装置を備えたトイレ装置１０の外観図である。尚、図１に表した具体例のトイレ装置１０はいわゆる「ロータンク式」であるが、本発明は、大便器（腰掛便器）２００に流す水を制御するバルブ機構を備えた「水道直圧式」にも適用することができる。
【００３３】
本実施形態の衛生洗浄装置１００は、大便器２００の後部上方に設けられた本体部１１０を有する。本体部１１０の筺体を構成するケーシング１２０には、便蓋１３０及び、便蓋１３０によって覆われる図示されない便座が回動自在に軸支されている。
【００３４】
図２は、本発明の第１実施形態に係る衛生洗浄装置の内部構成を表す透視図である。
【００３５】
ケーシング１２０は、ケースカバー１２１とケースプレート１２２とを有する。ケースプレート１２２は平板状に形成されて大便器２００上に載置されており、その前方には吐水ノズル１３１が配設されている。このほか、ケースプレート１２２上には、脱臭ユニット１４０、熱交換器１５０、制御装置１６０、リモコン受信部１６１、着座センサ１６２、給水バルブユニット１７０、開放式タンク１８０など、衛生洗浄を行うために必要となる種々の要素が配設されている。また、ケースカバー１２１の側方には、水道管から水の供給を受ける給水部１９０が設けられている。尚、本願明細書において「水」という場合には、冷水のみならず、加熱された温水も含むものとする。
【００３６】
吐水ノズル１３１は、大便器２００のボウル部内に進退自在であり、大便器２００に着座した使用者の「おしり」などに水を吐出して洗浄する機能を備える。この吐水ノズル１３１が大便器２００のボウル部内に進出した状態で、通水／止水を切り替える電磁弁を内蔵した給水バルブユニット１７０を通過した水を吐出する。
【００３７】
熱交換器１５０は、吐水ノズル１３１から温水を吐出するため、給水バルブユニット１７０から供給される水の加熱を行う。後述するように、熱交換器１５０の内部には、通電により発熱するヒータ１５１（図３参照）が設けられている。  
制御装置１６０は、リモコン受信部１６１で受信した図示しないリモコンからの信号に基づいて、吐水ノズル１３１の進退や水の吐出量、熱交換器１５０の加熱量等を制御する。
【００３８】
図３は、本発明の第１実施形態に係る衛生洗浄装置の制御ブロック図である。  
リモコンＲは、使用者が衛生洗浄装置１００を操作するためのユーザインタフェースであり、衛生洗浄装置１００の運転を停止させる停止スイッチＳ１と、衛生洗浄装置１００が有する複数の洗浄モードのそれぞれに対応させた運転モードスイッチが設けられている。  具体的には、「おしり」スイッチＳ２、「ビデ」スイッチＳ３、「やわらか」スイッチＳ４、の３つの運転モードスイッチが設けられており、使用者は衛生洗浄装置１００に実行させたい運転モードに対応した運転モードスイッチを操作する。
【００３９】
使用者の操作に基づいて、リモコンＲは制御装置１６０に操作信号を送信する。制御装置１６０はその操作信号をリモコン受信部１６１によって受信し、電磁弁１７４の閉弁／開弁の切り替えや、切替弁１９２による水の供給先の切り替え、脱臭ファン１４２、ヒータ１５１、洗浄用ポンプ１９１、ノズル駆動装置１３２の駆動を制御する。また、制御装置１６０は、着座センサ１６２から発信された検知信号を受信するよう構成されており、受信した検知信号に基づいて制御内容を適宜決定する。制御装置１６０が制御するこれら各要素については、後に詳述する。
【００４０】
図４は、本発明の第１実施形態に係る衛生洗浄装置の開放式タンク１８０近傍の斜視図である。  
図４に表したように、ケースプレート１２２の一部に、大便器２００の後方側に向けて切り欠かれた排水用切欠１２３が設けられている。この排水用切欠１２３は、大便器２００のボウル部の上方に位置している。
【００４１】
開放式タンク１８０は、吐水ノズル１３１の吐水口から水路中に汚水が浸入した場合にも、その汚水が水道管まで逆流することがないよう、水路中にいわゆるエアギャップを設ける機能を有する。開放式タンク１８０は、その内部に水を貯留可能であって、給水バルブユニット１７０（図２参照）を通過した水を内部へ流入させる流入口１８１と、内部の水を外部へ排出させる流出口１８２と、を有する。さらに、開放式タンク１８０は横長に構成されており、脱臭ダクト１４３の左方に流入口１８１が、右方に流出口１８２が配置される。また、開放式タンク１８０の後方には、洗浄用ポンプ１９１が設けられている。
【００４２】
以下、開放式タンク１８０の構造について詳細に説明する。  
図５は、本発明の第１実施形態に係る衛生洗浄装置の開放式タンク１８０の構造と水の流れを表す模式図であり、このうち、図５（ａ）は開放式タンク１８０の斜視図を、図５（ｂ）は開放式タンク１８０の流入口１８１から流出口１８２の方向に切断したＡ−Ａ断面図を、図５（ｃ）は開放式タンク１８０の流出口１８２からカバー部１８７ｃの下部の方向に切断したＢ−Ｂ断面図を表す。
【００４３】
図５に表すように、開放式タンク１８０は、パッキンＰ１〜Ｐ３を介設して組み立てられる複数の部材から構成されている。流入口１８１が設けられた入水蓋部材１８４は、パッキンＰ１を介して水密としながら、導水部材１８５の上部を覆う。導水部材１８５は、入水蓋部材１８４から流入する水を矢印Ｆ１のように下方へと導く。さらに、開放式タンク１８０は、導水部材１８５に接続される貯水部材１８６を有する。貯水部材１８６は、矢印Ｆ２のように導水部材１８５から流入する水を、脱臭ダクト１４３の下方をくぐらせて脱臭ダクト１４３の右方へと導く。また、貯水部材１８６の上方は、パッキンＰ３を介して、流出口１８２が設けられた出水蓋部材１８７によって水密に覆われている。
【００４４】
入水蓋部材１８４は、導水部材１８５の上方の開口に対応する形状を有し、その天面１８４ａから、入口配管５０３が接続される流入口１８１が後方に向けて突設されている。また、流入口１８１の下方（開放式タンク１８０の内側）には、流入口１８１から流入する水を下方に案内する突条部１８４ｂが形成されている。
【００４５】
貯水部材１８６は、所定量の水を貯留可能な箱状部１８６ｂと、箱状部１８６ｂ内に水を導入する筒状部１８６ａと、からなる。筒状部１８６ａは、導水部材１８５と接続され、箱状部１８６ｂに水を導くよう、左右方向に伸延する細長い略円筒状に形成されている。
【００４６】
開口している貯水部材１８６の箱状部１８６ｂの上部は、パッキンＰ３を介して、出水蓋部材１８７によって水密に覆われている。出水蓋部材１８７は、その天面１８７ａから、出口配管５０４が接続される流出口１８２が後方に向けて突設されている。さらに、筒状の吸引筒部１８７ｂが貯水部材１８６の内部に位置するように伸びており、吸引筒部１８７ｂは流出口１８２と連通している。
【００４７】
また、図５（ｃ）に表すように、開放式タンク１８０の貯水部材１８６の前面を構成する前方壁１８６ｄは、底面１８６ｃから高さＨ１の位置において、前方側に折曲されて折曲部１８６ｅを有している。さらに、折曲部１８６ｅと、出水蓋部材１８７の前方側に形成されたカバー部１８７ｃと、の間に形成されるオーバーフロー空間１８８に連通するよう、折曲部１８６ｅの上方にはオーバーフロー口１８３が、折曲部１８６ｅの下端には放出口１８６ｆが開放されている。
【００４８】
以上のように、開放式タンク１８０のオーバーフロー口１８３を流入口１８１と相対する端部に配置することで、開放式タンクに侵入したゴミは、流入口１８１から供給される水により流入口１８１と相対する端部に配置されたオーバーフロー口１８３近傍に集まる。そして、この集まったゴミをオーバーフロー口１８３へスムーズに導き、開放式タンク外へ排出することを可能とする。
【００４９】
続いて、図６を参照しつつ、吐水ノズル１３１に供給される水の流れについて説明する。図６は、本発明の第１実施形態に係る衛生洗浄装置の水路構成を表すブロック図である。
【００５０】
水道管５００に接続された止水栓５０１と給水バルブユニット１７０とが、可撓性を有するフレキホース５０２で接続されている。給水バルブユニット１７０は、上流への水の逆流を防ぐ逆止弁１７１や、水中の異物を捕捉するストレーナ１７２、給水圧にかかわらず水の流量を一定に保つ定流量弁１７３、通電により開弁して下流への通水／止水を選択的に切り替える電磁弁１７４等を有する。
【００５１】
電磁弁１７４を通過した水は、入口配管５０３を経て、流入口１８１から開放式タンク１８０内に流入する。流入した水は開放式タンク１８０内に貯留するが、その水位がＨ１を超えると、開放式タンク１８０の前面に設けられたオーバーフロー口１８３から、矢印ＯＦのように余剰水が外部へと流出する（オーバーフロー）。すなわち、流入口１８１とオーバーフロー口１８３との間にエアギャップＡ１が形成され、開放式タンク１８０内の水位が上昇しても、貯留されている水が流入口１８１までいたることはない。これによって、開放式タンク１８０から上流への汚水の逆流防止が図られている。また、オーバーフロー口１８３から大便器２００のリム面までには高さＡ２の距離があり、これもエアギャップとして機能しており、ボウル部内で汚水が跳ね、オーバーフロー口１８３から開放式タンク１８０内に浸入してしまう事態の発生を抑制している。
【００５２】
流出口１８２に接続される出口配管５０４の下流には、洗浄用ポンプ１９１が接続されている。洗浄用ポンプ１９１は、流出口１８２から開放式タンク１８０内の水を汲み出して下流に供給するとともに、流量（水勢）の調節も可能とされている。
【００５３】
洗浄用ポンプ１９１の下流には、熱交換器１５０が設けられている。熱交換器１５０は、例えばシーズヒータなどの加熱源であるヒータ１５１を備えており、上流の洗浄用ポンプ１９１から供給される水を貯留して加熱する。洗浄用ポンプ１９１から水が供給されると、熱交換器１５０の上部に設けられた出湯口１５２から、加熱された水が押し出されて流出する。また、熱交換器１５０の内部には、貯水の水位を検知するフロートスイッチ１５６が設けられており、検知される水位が所定水位以下である場合にはヒータ１５１の駆動を停止する、いわゆる空焚き防止機能を備えている。
【００５４】
熱交換器１５０の下流には、切替弁１９２、吐水ノズル１３１が設けられている。熱交換器１５０の出湯口１５２から流出した水は、切替弁１９２によって、その供給先を吐水ノズル１３１の複数ある吐水口のいずれかに切り替えられる。例えば、使用者がリモコンＲの「おしり」スイッチＳ２（図３参照）を操作した場合には、制御装置１６０は、「おしり」の洗浄位置に対応する吐水ノズル１３１の吐水口に対して水が供給先されるよう、切替弁１９２を切り替える。吐水ノズル１３１から吐出される水の水勢及び温度は、使用者が好みに応じて変更することが可能であり、使用者はリモコンＲにより洗浄用ポンプ１９１の駆動状態やヒータ１５１の加熱量を調節する。また、吐水ノズル１３１は、電動モータ等で構成されるノズル駆動装置１３２の駆動によって、ケーシング１２０に収納される位置と、大便器２００のボウル部内に進出した位置との間で、進退自在とされている。
【００５５】
以上のように構成することで、開放式タンク１８０内に貯留されている水は、洗浄用ポンプ１９１によって汲み出されるとともに、汲み出されて吐水ノズル１３１から吐出される流量も使用者が好みに応じて調整することが可能である。したがって、流入口１８１から開放式タンク１８０内に流入する水の流量に対し、洗浄用ポンプ１９１によって汲み出され流出口１８２から流出する水の流量が相対的に小さい場合には、開放式タンク１８０内に貯留されている水の水位が上昇してＨ１を超え、オーバーフロー口１８３から矢印ＯＦのように余剰水として流出する。この余剰水は、大便器２００のボウル部２１０に排出され（図６参照）、大便器２００の排水時にボウル部の水とともに排出される。
【００５６】
図７は、本発明の第１実施形態に係る衛生洗浄装置のシーケンスの一例を表す概略図である。  
チャートＡは、使用者の便座への着座を着座センサ１６２が検知しているか否かの状態を表し、チャートＢは、給水バルブユニット１７０の電磁弁１７４の開閉状態を表す。  
また、チャートＣは、洗浄用ポンプ１９１駆動状態を表し、チャートＤは、吐水ノズル１３１の位置を表し、チャートＥは、切替弁１９２による水の供給先を表す。
【００５７】
衛生洗浄装置１００の待機状態から、ｔ１で着座センサ１６２が使用者の便座への着座を検知すると、制御装置１６０は衛生洗浄装置が使用される可能性があると判断し、洗浄の準備として電磁弁１７４が開弁して開放式タンク１８０への給水を開始させる。これにより開放式タンク１８０内に水を給水し、この段階で洗浄用ポンプ１９１が駆動していない状態にあっても、開放式タンク１８０をオーバーフローさせて、開放式タンク内のゴミを大便器２００のボウル部内に排出する。  
次に、ｔ２で開放式タンク１８０への給水が終了すると、使用者によるリモコンＲ（図３参照）での運転モード選択に待機する。ｔ３で使用者が「おしり」スイッチＳ２（図３参照）を操作すると、制御装置１６０は熱交換器１５０から流出した水を吐水ノズル１３１の「おしり」に対応する吐水口に供給すべく、切替弁１９２を切り替える。また、ｔ４でノズル駆動装置１３２を駆動させ、吐水ノズル１３１をケーシング１２０内から「おしり」に対応する位置まで進出させる。  
続いて、制御装置１６０はｔ５で再び電磁弁１７４が開弁させるとともに、ｔ６にかけて洗浄用ポンプ１９１の駆動によって供給される水の流量（水勢）を５段階で増加させる。これにより、吐水ノズル１３１の吐水口から徐々に勢いを増す水が吐出される。
【００５８】
ｔ７で使用者がリモコンＲの停止スイッチＳ１を操作すると、制御装置１６０は電磁弁１７４が閉弁して吐水ノズル１３１からの水の吐出を終了させるとともに、ノズル駆動装置１３２が駆動させ、吐水ノズル１３１をケーシング１２０内に収納する。また、ｔ８で切替弁１９２を「止」の位置に戻すと、次に、吐水ノズル１３１の収納が完了し、ｔ９から待機状態となる。使用者が洗浄を終えてｔ１０で便座から離れることで、着座センサ１６２は非検知状態となる。
【００５９】
以上説明したように、衛生洗浄装置１００を使用する前に開放式タンク１８０内に水を給水しオーバーフローさせ、開放式タンク内のゴミを排出することができる。さらに、電磁弁１７４を開弁し開放式タンク１８０に水を供給するだけでよく、衛生洗浄装置１００はゴミを取り除く手段を別途具備する必要がなく、低コストでコンパクトに構成することが可能となる。
【００６０】
以上、具体例を参照しつつ、本発明の第１の実施の形態について説明した。しかし、本実施形態は、これらの具体例に限定されるものではない。上記実施形態では、着座センサ１６２が検知状態となるとことで、制御装置１６０は衛生洗浄装置が使用される可能性があると判断し、開放式タンク１８０内に水を給水しオーバーフローさせ、開放式タンク内のゴミを大便器２００のボウル部内に排出する。しかし、本発明はこれに限られず、着座センサ１６２に代え、人体が衛生洗浄装置の近くに存在する状態にあることを検知する人体検知センサを設け、この人体検知センサの検知状態に基づいて、使用されると判断してもよい。すなわち、人体検知センサが、使用者が衛生洗浄装置に近づいたことを検知したことから、衛生洗浄装置が使用されると判断し、開放式タンク１８０内に水を給水しオーバーフローさせてゴミを排出してもよい。これにより、衛生洗浄装置１００を使用する前に開放式タンク１８０内へゴミを排出することができる。その際、誤検知防止のために、人体検知センサが所定時間継続して人体を検知したことにより、人体が衛生洗浄装置の近くに存在すると判断するのが好ましい。
【００６１】
また、着座センサ１６２に代え、運転モードスイッチ（たとえば「おしり」スイッチＳ２）により洗浄動作を指示する操作がなされたことで、制御装置１６０は衛生洗浄装置が使用されると判断し、吐水開始直前に洗浄用ポンプ１９１が駆動しない状態で開放式タンク１８０内に水を給水しオーバーフローさせて開放式タンク内のゴミを排出してもよい。これにより、衛生洗浄装置の使用直前に開放式タンク１８０内のゴミを排出することができる。加えて、開放式タンク１８０内の水をオーバーフローさせるのと同時、もしくはある時間遅れて（たとえば１秒）洗浄用ポンプを駆動して吐水を行うと、運転モードスイッチ操作から吐水ノズルより水を吐水するまでの時間を短縮することができ、衛生洗浄装置の使い勝手を損なう事態の発生を防止することができる。
【００６２】
図８は、本発明の第２実施形態に係る衛生洗浄装置のシーケンスの一例を表す概略図である。  
チャートＡは、使用者の便座への着座を着座センサ１６２が検知しているか否かの状態を表し、チャートＢは、給水バルブユニット１７０の電磁弁１７４の開閉状態を表す。
【００６３】
また、チャートＣは、洗浄用ポンプ１９１駆動状態を表し、チャートＤは、吐水ノズル１３１の位置を表し、チャートＥは、切替弁１９２による水の供給先を表す。
【００６４】
衛生洗浄装置１００の待機状態から、ｔ１で着座センサ１６２が使用者の便座への着座を検知する。次に、ｔ２で使用者が「おしり」スイッチＳ２（図３参照）を操作すると、制御装置１６０は熱交換器１５０から流出した水を吐水ノズル１３１の「おしり」に対応する吐水口に供給すべく、切替弁１９２を切り替える。また、ｔ３でノズル駆動装置１３２を駆動させ、吐水ノズル１３１をケーシング１２０内から「おしり」に対応する位置まで進出させる。
【００６５】
続いて、制御装置１６０はｔ４で再び電磁弁１７４が開弁させるとともに、ｔ５にかけて洗浄用ポンプ１９１の駆動によって供給される水の流量（水勢）を５段階で増加させる。これにより、吐水ノズル１３１の吐水口から徐々に勢いを増す水が吐出される。
【００６６】
ｔ６で使用者がリモコンＲの停止スイッチＳ１を操作すると、制御装置１６０は電磁弁１７４が閉弁して吐水ノズル１３１からの水の吐出を終了させるとともに、ノズル駆動装置１３２が駆動させ、吐水ノズル１３１をケーシング１２０内に収納する。また、ｔ７で切替弁１９２を「止」の位置に戻し、次にｔ８で吐水ノズル１３１の収納が完了すると、ｔ８から待機状態となる。使用者が洗浄を終えてｔ９で便座から離れることで、着座センサ１６２は非検知状態となる。
【００６７】
この着座センサ１６２の非検知状態が継続した時間が、所定時間Ｔ０（例えば３０秒）以上となったとき（ｔ１０）、制御装置１６０は、使用者が衛生洗浄装置１００の使用を終えたと判断し、制御装置１６０は電磁弁１７４が開弁して開放式タンク１８０への給水を開始させる。これにより開放式タンク１８０内に水を給水し、この段階で洗浄用ポンプ１９１が駆動していない状態にあっても、開放式タンク１８０をオーバーフローさせて、開放式タンク内のゴミを大便器２００のボウル部内に排出する。ｔ１１で開放式タンク１８０内のオーバーフローによるゴミ排出が完了すると、制御装置１６０は洗浄用ポンプ１９１の駆動を停止させ、衛生洗浄装置１００は再び待機状態となる。
【００６８】
便座に着座した使用者が、例えば予備のトイレットペーパーを取るために一時的に便座から離れた場合などにも、着座センサ１６２が非検知状態となる。そのため、仮に着座センサ１６２が非検知状態となると即座に制御装置１６０が開放式タンク１８０内に水を給水しオーバーフローさせてゴミを排出するよう設定すると、上記のように一時的な非検知状態となった場合に、使用者がまだ衛生洗浄装置１００を使用しているにもかかわらず開放式タンク１８０内に水を給水してしまう。したがって、使用者開放式タンク内の水を無駄にオーバーフローさせて捨ててしまうことがない。  
したがってここでは、着座センサ１６２の非検知状態が継続した時間が所定時間Ｔ０以上となったときに、使用者が衛生洗浄装置１００の使用を終えて完全に便座から離れたと判断し、開放式タンク１８０内に水を給水しオーバーフローさせてゴミを排出することで、上記不具合を解消している。
【００６９】
以上説明したように、衛生洗浄装置１００を使用したときに発生したトイレットペーパーの紙片等のゴミが開放式タンク１８０内に入り込んでも使用後すぐにゴミを排出することができる。
【００７０】
以上、具体例を参照しつつ、本発明の第２の実施の形態について説明した。しかし、本実施形態は、これらの具体例に限定されるものではない。上記実施形態では、着座センサ１６２が非検知状態となることで、制御装置１６０は衛生洗浄装置が使用されていない状態になったと判断し、開放式タンク１８０内に水を給水しオーバーフローさせてゴミを排出を行っている。しかし、本発明はこれに限られず、着座センサ１６２に代え、便蓋１３０が閉止状態になったことを検知する便蓋閉止検知センサを設け、この便蓋閉止検知センサの検知状態に基づいて、衛生洗浄装置が使用されていない状態になったことを判断してもよい。すなわち、便蓋閉止検知センサが便蓋１３０の閉止を検知したことから、衛生洗浄装置が使用されていない状態になったと判断し、開放式タンク１８０内に水を給水しオーバーフローさせてゴミを排出してもよい。これにより、衛生洗浄装置の使用中であるにもかかわらず開放式タンク１８０内へ水が給水され無駄にオーバーフローさせてしまうといった事態の発生を防止することができる。
【００７１】
また、着座センサ１６２に代え、人体が衛生洗浄装置の近くに存在する状態にあることを検知する人体検知センサを設け、この人体検知センサの検知状態に基づいて、衛生洗浄装置が使用されていない状態になったことを判断してもよい。すなわち、人体検知センサが、使用者が衛生洗浄装置から離れたことを検知したことから、衛生洗浄装置が使用されていない状態になったと判断し、開放式タンク１８０内に水を給水しオーバーフローさせてゴミを排出してもよい。これにより、衛生洗浄装置の使用中であるにもかかわらず開放式タンク１８０内へ水が給水され無駄にオーバーフローさせてしまうといった事態の発生を防止することができる。
【００７２】
また、例えばケーシング１２０の外側面にゴミ排出スイッチを設け、使用者がゴミ排出スイッチを操作することで、制御装置１６０が開放式タンク１８０内の水をオーバーフローさせてごみを排出する構成してもよい。これにより、使用者のニーズに応じて衛生洗浄装置の使用に支障のないタイミングで開放式タンク１８０内へ水が給水されゴミを排出することができる。
【００７３】
また、例えば一定の間隔（例えば１２時間おき）あるいは、一定の時刻（例えば、毎日午前２時）に、制御装置１６０が開放式タンク１８０内の水をオーバーフローさせてごみを排出する構成にしてもよい。
【符号の説明】
【００７４】
１０…トイレ装置  １００…衛生洗浄装置  １１０…本体部  １２０…ケーシング  １２１…ケースカバー  １２２…ケースプレート  １２３…ケースプレート排水用切欠  １３０…便蓋  １３１…吐水ノズル  １３２…ノズル駆動装置  １４０…脱臭ユニット  １４１…排気口  １４２…脱臭ファン  １４３…脱臭ダクト  １５０…熱交換器  １５１…ヒータ  １５２…出湯口  １５６…フロートスイッチ  １６０…制御装置  １６１…リモコン受信部  １６２…着座センサ  １７０…給水バルブユニット  １７４…電磁弁  １８０…開放式タンク  １８１…流入口  １８２…流出口  １８３…オーバーフロー口    １８４…入水蓋部材  １８５…導水部材  １８６…貯水部材  １８７…出水蓋部材  １８８…オーバーフロー空間  １９０…給水部  １９１…洗浄用ポンプ  １９２…切替弁  ２００…大便器  ２１０…ボウル部  ５００…水道管  ５０１…止水栓  ５０２…フレキホース  ５０３…入口配管  ５０４…出口配管
【図１】
2010189935.tif 000003
【図２】
2010189935.tif 000004
【図３】
2010189935.tif 000005
【図４】
2010189935.tif 000006
【図５】
2010189935.tif 000007
【図６】
2010189935.tif 000008
【図７】
2010189935.tif 000009
【図８】
2010189935.tif 000010